(57)【要約】      （修正有）【課題】扉体の前面パネルのリーダライタ装着用開口部に対し、リーダライタ装着用開口部とは大きさの異なる設置面をもつリーダライタが、簡単な構造、安価なコストで取り付けられる自動販売機のリーダライタ取付構造を提供する。【解決手段】自動販売機の扉体の前面パネル３ａに形成されたリーダライタ装着用開口部２５と、リーダライタ装着用開口部とは大きさが異なる設置面１１ａを有するリーダライタ１１と、リーダライタ装着用開口部に当該開口を覆うよう前面パネルの前面に配置され、当該開口上にリーダライタが取り付く設置域を形成するリーダライタ設置用アダプタ３１と、リーダライタをリーダライタ設置用アダプタを介して扉体の前面に固定する固定手段３９，５３，５９,５５，５７とを具備する。【選択図】図４
2018205912.tif 000002
【特許請求の範囲】
【請求項１】
自動販売機の本体前面の開口を開閉する扉体の前面に、ＩＣカードに入力された電子マネー情報を読み書きするリーダライタを取付ける自動販売機のリーダライタ取付構造であって、
前記扉体の前面パネルに形成されたリーダライタ装着用開口部と、
前記リーダライタ装着用開口部とは大きさが異なる設置面を有する前記リーダライタと、
前記リーダライタ装着用開口部に当該開口を覆うよう前記前面パネルの前面に配置され、当該開口上に前記リーダライタが取り付く設置域を形成するリーダライタ設置用アダプタと、
前記リーダライタを前記リーダライタ設置用アダプタを介して前記扉体の前面に固定する固定手段と
を具備したことを特徴とする自動販売機のリーダライタ取付構造。
【請求項２】
前記固定手段は、
前記リーダライタの設置面と対応して前記リーダライタ設置用アダプタに形成された複数の固定孔と、前記リーダライタ設置用アダプタの裏面側から前記固定孔を通じ前記リーダライタの設置面へ螺挿され前記リーダライタと前記リーダライタ設置用アダプタとを固定する第１締結具を有した第１締結手段と、
前記リーダライタ装着用開口部と対応して前記リーダライタ設置用アダプタの裏面に形成された複数のねじ孔と、前記前面パネルの裏面側に配置した取付部材から前記ねじ孔へ螺挿され前記リーダライタ設置用アダプタを前記前面パネルに締結する第２締結具とを有する第２締結手段と
から構成されることを特徴とする請求項１に記載の自動販売機のリーダライタ取付構造。
【請求項３】
前記第１締結手段を構成する複数の固定孔は、前記第２締結手段の複数のねじ孔のピッチよりも大きいピッチで配置される固定孔を含み、
前記固定孔は、少なくとも一つが前記リーダライタ装着用開口部と対向する領域から外側にずらして配置され、
前記リーダライタは前記リーダライタ装着用開口部から偏った位置に固定される
ことを特徴とする請求項２に記載の自動販売機のリーダライタ取付構造。
【請求項４】
前記リーダライタ設置用アダプタは、一側域が反対側の他側域よりも長い延長域を有して形成され、
前記固定孔は、前記延長域に少なくとも一つが設けられ、
前記リーダライタは、前記リーダライタ装着用開口部と対向する領域から外側へ偏った位置に配置される
ことを特徴とする請求項３に記載の自動販売機のリーダライタ取付構造。
【請求項５】
前記扉体の前面パネルは、前記リーダライタ装着用開口部の上方の位置に当該リーダライタ装着用開口部と接近した位置に金額表示部を有し、
前記リーダライタ設置用アダプタの延長域は、前記金額表示部とは反対側の前記扉体の下方側へ延びる向きに配置される
ことを請求項４に記載の自動販売機のリーダライタ取付構造。
【請求項６】
前記リーダライタ設置用アダプタの裏面は、前記リーダライタ装着用開口部の開口縁と嵌り合う枠形の凸部を有する
ことを特徴とする請求項１から請求項５のいずれか一項に記載の自動販売機のリーダライタ取付構造。
【請求項７】
前記リーダライタ設置用アダプタは、前記リーダライタ装着用開口部と向き合うアダプタ部分に、前記リーダライタから延びる配線類が挿通する配線挿通用開口を有する
ことを特徴とする請求項１から請求項６のいずれか一項に記載の自動販売機のリーダライタ取付構造。
【発明の詳細な説明】
【技術分野】
【０００１】
本発明は、リーダライタが扉体に配置される自動販売機のリーダライタ取付構造に関する。
【背景技術】
【０００２】
自動販売機では、電子マネー情報が入力されたＩＣカードを用いて、販売商品の決済、すなわち商品の課金が行われるようになってきた。
この自動販売機は、本体前面の開口を開閉する扉体の前面にＩＣカードの電子マネー情報を読み書きするリーダライタを設けて、リーダライタにＩＣカードをかざすと、ＩＣカードの電子マネー情報が読み込まれる。
【０００３】
こうした自動販売機におけるリーダライタの取付けの多くは、特許文献１にも開示されているように扉体の前面パネルにリーダライタ装着用開口部を形成しておき、このリーダ装着用開口部を通じ、リーダライタを前面パネルの前面に装着して、リーダライタで読み取った電子マネー情報が扉体裏面に配置される制御ユニットへ伝える構造が用いられている。
【先行技術文献】
【特許文献】
【０００４】
【特許文献１】特許第３８００６４５号公報
【発明の概要】
【発明が解決しようとする課題】
【０００５】
通常、扉体の前面パネルのリーダライタ装着用開口部は、予め扉体に据え付くリーダライタの形状や大きさに合わせて形成しておき、このリーダライタ装着用開口部内にリーダライタを組み付けている。
ところで、近時、自動販売機では、性能向上を図るために、当初のリーダライタから、異なる規格をもつリーダライタへ変更することが考えられている。
【０００６】
ところが、規格の違いのため、変更するリーダライタは、当初リーダライタとは設置面の大きさや形状が異なり、そのままでは、当初リーダライタに合わせて形成されたリーダライタ装着用開口部に据え付けることは難しい。
新たに組み付くリーダライタの設置面が、リーダライタ装着用開口部の開口よりも小さい場合、たとえ前面パネルに固定することができたとしても、各部の大きさの違いからリーダライタとリーダライタ装着用開口部の開口縁との間には隙間が発生し、種々の問題を招く。
【０００７】
扉体全体を変えることも考えられるが、変更が求められる自動販売機の台数は多く、かなりのコストの負担が強いられる。このため、実現性は乏しい。
そこで、本発明の目的は、扉体の前面パネルのリーダライタ装着用開口部に対し、当該リーダライタ装着用開口部とは大きさの異なる設置面をもつリーダライタが、簡単な構造、安価なコストで取り付けられる自動販売機のリーダライタ取付構造を提供する。
【課題を解決するための手段】
【０００８】
本発明の態様は、自動販売機の本体前面の開口を開閉する扉体の前面に、ＩＣカードに入力された電子マネー情報を読み書きするリーダライタを取付ける自動販売機のリーダライタ取付構造であって、扉体の前面パネルに形成されたリーダライタ装着用開口部と、リーダライタ装着用開口部とは大きさが異なる設置面を有するリーダライタと、リーダライタ装着用開口部に当該開口を覆うよう前面パネルの前面に配置され、当該開口上にリーダライタが取り付く設置域を形成するリーダライタ設置用アダプタと、リーダライタをリーダライタ設置用アダプタを介して扉体の前面に固定する固定手段とを具備する。
【０００９】
好ましくは、固定手段は、リーダライタの設置面と対応してリーダライタ設置用アダプタに形成された複数の固定孔と、リーダライタ設置用アダプタの裏面側から固定孔を通じリーダライタの設置面へ螺挿されリーダライタとリーダライタ設置用アダプタとを固定する第１締結具を有した第１締結手段と、リーダライタ装着用開口部と対応してリーダライタ設置用アダプタの裏面に形成された複数のねじ孔と、前面パネルの裏面側に配置した取付部材からねじ孔へ螺挿されリーダライタ設置用アダプタを前面パネルに締結する第２締結具とを有する第２締結手段とから構成されるものとした。
【００１０】
好ましくは、第１締結手段を構成する複数の固定孔は、第２締結手段の複数のねじ孔のピッチよりも大きいピッチで配置される固定孔を含み、固定孔は、少なくとも一つがリーダライタ装着用開口部と対向する領域から外側にずらして配置され、リーダライタはリーダライタ装着用開口部から偏った位置に固定されるものとした。
好ましくは、前記リーダライタ設置用アダプタは、一側域が反対側の他側域よりも長い延長域を有して形成され、固定孔は、延長域に少なくとも一つが設けられ、リーダライタは、リーダライタ装着用開口部と対向する領域から外側へ偏った位置に配置されるものとした。
【００１１】
好ましくは、扉体の前面パネルは、リーダライタ装着用開口部の上方の位置に当該リーダライタ装着用開口部と接近した位置に金額表示部を有し、リーダライタ設置用アダプタの延長域は、金額表示部とは反対側の前記扉体の下方側へ延びる向きに配置されるものとした。
好ましくは、リーダライタ設置用アダプタの裏面は、リーダライタ装着用開口部の開口縁と嵌り合う枠形の凸部を有するものとした。
【００１２】
好ましくは、リーダライタ設置用アダプタは、リーダライタ装着用開口部と向き合うアダプタ部分に、リーダライタから延びる配線類が挿通する配線挿通用開口を有するものとした。
【発明の効果】
【００１３】
本発明のリーダライタ取付構造によれば、リーダライタを、当該リーダライタの規格と対応していないリーダライタ装着用開口部に組み付けるときには、例えばリーダライタをリーダライタ設置用アダプタを介して扉体の前面に固定する。これにより、リーダライタは、リーダライタ設置用アダプタにより隙間の発生なく、扉体の前面に取り付けられる。
したがって、リーダライタ装着用開口部とは大きさの異なる設置面をもつリーダライタは、リーダライタ設置用アダプタの採用により、簡単な構造、安価なコストで、仕様の異なるリーダライタ装着用開口部に取り付けることができる。
【図面の簡単な説明】
【００１４】
【図１】本発明の第１の実施形態に係る態様となる自動販売機の扉体に有るリーダライタ周辺を示す斜視図。
【図２】同扉体の裏面におけるリーダライタ周辺を示す斜視図。
【図３】図２中のＡ−Ａ線に沿うリーダライタ周辺の側断面図。
【図４】リーダライタ設置用アダプタによるリーダライタの取付構造を示す分解斜視図。
【図５】図４中の矢視Ｂから見たリーダライタ設置用アダプタの正面図。
【図６】（ａ）は図４中の矢視Ｃから見たリーダライタ設置用アダプタの平面図、（ｂ）は図４中の矢視Ｄから見たリーダライタ設置用アダプタの側面図。
【図７】本発明の第２の実施形態に係る態様となるリーダライタ周辺の側断面図。
【図８】本発明の第３の実施形態に係る態様となるリーダライタ周辺の側断面図。
【発明を実施するための形態】
【００１５】
以下、本発明を図１から図６に示す第１の実施形態にもとづいて説明する。
図１は自動販売機の全体を示し、図２は同自動販売機の扉体を開いた状態を示し、図３はリーダライタ周りの側断面を示し、図４は同リーダライタの取付構造を分解した各部を示し、図５および図６はリーダライタ設置用アダプタの各部を示している。
まず自動販売機の主な構成を説明すると、図１および図２に示されるように当該自動販売機は、前面が開口した本体１と、本体１の前面に設けられた横開き式の扉体３とを有している。そして、本体１の前面の開口部１ａが、扉体３により開閉される構造となっている。本体１内は、各種販売商品を収納するサーペンタイン式の収納部（いずれも図示しない）が設けられる。
【００１６】
扉体３を構成する前面パネル３ａの前面上段には、各種販売商品を表示する表示部５が商品選択スイッチ７と共に設けられている。前面パネル３ａの前面中段には、上部中央に位置して金額表示部９が設けられ、同金額表示部９の直下にはリーダライタ１１が設けられる。リーダライタ１１は、ＩＣカード（図示しない）に入力された電子マネー情報を読み書きするものである。
【００１７】
前面パネル３ａのうちリーダライタ１１の側方となるパネル部分には、紙幣投入口１３、硬貨投入口１５、返却レバー１７などが設けられる。また扉体３の前面下段には、幅方向に延びる細長の商品取出口１９、硬貨返却口２１が設けられている。
こうした前面パネル３ａ上の機器により、ＩＣカード（図示しない）をリーダライタ１１にかざしたり、紙幣や硬貨（いずれも図示しない）を紙幣投入口１３や硬貨投入口１５に投入したりすることにより、商品選択スイッチ７で選択した商品を購入することができる。もちろんＩＣカードは、リーダライタ１１により、入力されている電子マネー情報が読み込まれ、課金が施される。むろん金額表示部９は、投入された金額やＩＣカードの金額を表示する。
【００１８】
なお、図２に示されるように前面パネル３ａの裏面側（扉体裏面）には、紙幣投入口１３、硬貨投入口１５に位置して、投入された紙幣や硬貨を識別する機器を収めた識別ユニット２３が設けられる。
通常、自動販売機のリーダライタ１１は、図３および図４に示されるように扉体３の前面パネル３ａに設けられたリーダライタ装着用開口部２５に組み付ける構造が用いられる。一般的にはリーダライタ装着用開口部２５は、予め当初リーダライタの形状や大きさに合わせて形成しておき、このリーダライタ装着用開口部２５内に当初リーダライタを装着する。
【００１９】
しかし、自動販売機は、当初のリーダライタから、異なる規格をもつリーダライタ１１への変更することがある（性能向上などのため）。この場合、リーダライタを変更するが、リーダライタの大きさや形状の差異（規格違いによる）により、そのままでは変更後のリーダライタは、リーダライタ装着用開口部２５に据え付けられないことがある。ちなみに本実施形態に示しているリーダライタ１１は、いずれも当初リーダライタとは規格が異なるリーダライタを指す。
【００２０】
そのため、本実施形態では、リーダライタ１１を前面パネル３ａに取り付けるリーダライタ取付構造に工夫を施して、規格が異なるリーダライタ１１の取付けを実現可能としている。
具体的には本実施形態は、互換のためのリーダライタ設置用アダプタ３１を採用して、規格の異なるリーダライタ１１のリーダライタ装着用開口部２５への取付けを可能としている。
【００２１】
図１〜図４を参照して、このリーダライタ取付構造を説明すると、まずリーダライタ装着用開口部２５は、当初リーダライタの大きさや形状に基づき前面パネル３ａに形成されているものである。例えばリーダライタ装着用開口部２５は、矩形形状をなしている（図４）。
ここで、図１および図４に示されるようにリーダライタ１１の外形は、規格違いにより、例えば上下方向の寸法はリーダライタ装着用開口部２５よりも大きく、幅方向の寸法はリーダライタ装着用開口部２５よりも小さいブロック形をなしている。このリーダライタ１１の後端面が設置面１１ａとなる。つまり、リーダライタ１１の設置面１１ａは、リーダライタ装着用開口部２５とは異なる大きさや形状となる後部面が設置面１１ａとなっている。
【００２２】
さらに述べると、設置面１１ａの外周部にはシール部材３３が装着される。また設置面１１ａの四隅側には４つのボス部３５が突設され、各ボス部３５の先端部にはねじ孔３７（リーダライタ固定座）が形成される。ちなみにリーダライタ１１の４つのねじ孔３７は、上下方向のピッチが前面パネル３ａに形成してあるリーダライタ装着用開口部２５の上下方向寸法よりも大きく、左右方向のピッチが同リーダライタ装着用開口部２５の左右方向寸法よりも小さい（当初のリーダライタと異なる）。
【００２３】
図２〜図４に示されるように前面パネル３ａの裏面には、リーダライタ装着用開口部２５の開口を裏面側から覆うように取付板３９（本願の取付部材に相当）が配置される。この取付板３９は、リーダライタ１１の取付けに用いられる部品で、前面パネル３ａの裏面から突き出たブラケット部４１、同ブラケット部４１に螺挿されるねじ部材４３および同ねじ部材４３が挿通する挿通孔４３ａを用いて、板面がリーダライタ装着用開口部２５と対向する姿勢に固定されるものである。
【００２４】
リーダライタ設置用アダプタ３１は、この取付板３９を利用して、リーダライタ装着用開口部２５の前面を覆うよう配置される部品である。
このリーダライタ設置用アダプタ３１を説明すると、図３〜図６に示されるようにリーダライタ設置用アダプタ３１は、例えば合成樹脂製で、板形をなしたカバー部４７をもつ。このカバー部４７は、リーダライタ装着用開口部２５を前面パネル３ａの前面から覆う形状、ここでは矩形状をなしている。そして、カバー部４７のち、平坦な面をもつ表側はリーダライタ取付側で、そのうちリーダライタ装着用開口部２５上に配置される板面部分がリーダライタ１１の取り付く据付領域α（本願の設置域に相当）なる（図５）。また反対側の、外周縁部にリブ４９が形成された裏面側は、前面パネル取付側となる。
【００２５】
図４に示されるようにカバー部４７の裏面（据付領域αの周り）には、リーダライタ装着用開口部２５の各部、例えば四隅と対応した位置に、４つのボス部５１が突設される。各ボス部５１の先端部にはそれぞれねじ孔５３が設けられている。またボス部５１間をつなぐようにリブ５２が形成されている。
ねじ孔５３の周辺の板面部分（カバー部分）には、リーダライタ１１のねじ孔３７（設置面１１ａ）と組み合う４つ（複数）の通孔５５（本願の固定孔に相当）が設けられる。４つの通孔５５は、上記ねじ孔５３のピッチよりも、大きなピッチの孔を含んでいるため、リーダライタ１１やリーダライタ設置用アダプタ３１の固定を妨げる。
【００２６】
そのため、４つの通孔５５は、図４に示されるように一部をリーダライタ装着用開口部２５の開口と対向する領域から外側にずらして配置されている。
この配置を実現するため、図３〜図６に示されるようにカバー部４７の互いに向き合う２組の辺域のうち、一方の組の一側域は、反対側の他側域よりも長く延長させてある。この延長した延長域５６に、少なくとも通孔５５の一部、ここでは上側の２つの通孔５５が設けられている。残りの二つの通孔５５は、延長域５６によるずれ分、リーダライタ装着用開口部２５の開口と対向する板面部分へずらして設けられる。この通孔５５の配置によりリーダライタ１１は、リーダライタ装着用開口部２５から偏った位置に配置される設定としてある。本実施形態では、例えば金額表示部９にリーダライタ１１を接近させて配置するため、延長域５６は上部へ延びる向き（上部側）に配置してある。
【００２７】
そして、図４に示されるようにカバー部４７の裏面側から、ねじ部材５７（本願の第１締結具に相当）を、通孔５５を通じてリーダライタ１１のねじ孔３７へねじ込むと、カバー部４７の表側にリーダライタ１１が締結される。つまり、通孔５５、ねじ部材５７を用いた締結構造（本願の第１締結構造に相当）により、リーダライタ１１とリーダライタ設置用アダプタ３１とが固定される構造となっている。
【００２８】
また、リーダライタ１１の固定後、カバー部４７をリーダライタ装着用開口部２５の前面を覆うように配置し、取付板３９に設けた通孔３９ａから（前面パネル３ａの裏面側）、ねじ部材５９（本願の第２締結具に相当）を、リーダライタ装着用開口部２５を通して、ボス部５１端のねじ孔５３（カバー部４７裏面）へねじ込むと、リーダライタ設置用アダプタ３１全体（カバー部４７、延長域５６を含む）が前面パネル３ａに締結される。つまり、ねじ孔５３、ねじ部材５９を用いた締結構造（本願の第１締結構造に相当）により、リーダライタ設置用アダプタ３１が前面パネル３ａに固定される構造となっている。ちなみに、ボス部５１は、取付板３９の位置に合わせて突き出ている。
【００２９】
こうした締結構造の組み合わせによりリーダライタ１１は、リーダライタ設置用アダプタ３１を介して扉体３の前面に固定、すなわちリーダライタ装着用開口部２５から上方へ偏った位置に組み付けられる（本願の固定手段に相当）。
さらに図４に示されるようにカバー部４７（リーダライタ設置用アダプタ）の裏面には、リーダライタ装着用開口部２５の開口縁と嵌り合う枠形（矩形枠）の凸部６１が形成されている。枠形の凸部６１は、予めリーダライタ装着用開口部２５の位置と対応して形成され、枠形の凸部６１を扉体３の前面側からリーダライタ装着用開口部２５へ嵌め込むだけで、カバー部４７がリーダライタ装着用開口部２５を覆い隠すよう前面パネル３ａの前面に配置されると同時にボス部５１のねじ孔５３が取付板３９の通孔３９ａに位置決められる。もちろん、枠形の凸部６１は、外部からリーダライタ装着用開口部２５へ異物（ドライバ先端など）が進入するのを防ぐ機能もある。ちなみに枠形の凸部６１は、ボス部５１と一体であり、また各種リブ６４を介して、内側のリブ５２と一体につながっている。
【００３０】
また凸部６１の周りには、シール部材６２を収める矩形のシール溝部６２ａが形成され、シール部材６２によって、カバー部４７の裏面とリーダライタ装着用開口部２５との間がシールされる構造となっている（図３、図４）。
さらにカバー部４７（リーダライタ設置用アダプタ）の裏面のうち、リーダライタ装着用開口部２５と向き合うアダプタ部分、具体的には凸部６１や格子形のリブ５２で囲まれる板面部分には、リーダライタ１１から延びる配線類１１ｂが挿通する配線挿通用開口６３が形成されている（図４）。ここでは、配線挿通用開口６３は、左右方向一側、例えば右側へ偏らせた位置に配置される。ちなみに、配線挿通用開口６３を挟んで偏らせた側と反対側（左側）にはリブ部６４ａが設けてある（いずれも図４）。
【００３１】
また取付板３９には、配線挿通用開口６３からの配線類１１ｂを、図示はしないが扉体３の裏面に設置される制御ユニットへ導く開口部分６５が形成され、リーダライタ１１と制御ユニットとの間がつなげられる構造となっている。
なお、延長部５６の裏面にもリブ部１４が設けられる（図４）。
つぎに、このように構成されたリーダライタ取付構造の作用について説明する。
【００３２】
今、扉体３の前面のリーダライタ装着用開口部２５に、リーダライタ１１を組み付けるとする。
現段階では、リーダライタ１１は、当初のリーダライタに比べ、上下方向の寸法が大きく、幅方向の寸法が小さいため、そのままではリーダライタ装着用開口部２５に取り付けることは難しい。
【００３３】
そこで、リーダライタ設置用アダプタ３１を用いて組み付けを行う。このときは、リーダライタ設置用アダプタ３１にリーダライタ１１を組み付ける。これには、まず図４に示されるように据付領域α（図５）にリーダライタ１１の設置面１１ａを配置する。続いてリーダライタ設置用アダプタ３１の裏面側から、ねじ部材５９を、通孔５５を通じてリーダライタ１１のねじ孔３７へねじ込む。これによりリーダライタ１１は、シール部材３３でシールされながら、リーダライタ設置用アダプタ３１の表面側に固定される。
【００３４】
続いて、このリーダライタ１１が付いたリーダライタ設置用アダプタ３１を扉体３の前面に組み付ける作業に入る。このときは、図３および図４に示されるようにリーダライタ設置用アダプタ３１の裏面に形成されている枠形の凸部６１を、扉体３の前面側から、前面パネル３ａに形成されているリーダライタ装着用開口部２５に嵌め込む。
すると、リーダライタ設置用アダプタ３１は、凸部６１周りのシール部材６２とリーダライタ装着用開口部２５の開口縁部とが密接しながら、リーダライタ装着用開口部２５を覆うよう配置される。
【００３５】
ここで各ボス部５１は、取付板３９の通孔３９ａの位置と対応して突き出ているから、図３に示されるようにリーダライタ設置用アダプタ３１が前面パネル３ａの前面へ配置されるにしたがい、ボス部５１のねじ孔５３は、取付板３９の通孔３９ａに位置決められる。
その後、扉体３の裏面側からねじ部材５９を、取付板３９の通孔３９ａからボス部５１のねじ孔５３へねじ込む。すると、リーダライタ設置用アダプタ３１は締結され、図１、図２および図３に示されるようにリーダライタ１１全体が、リーダライタ設置用アダプタ３１を介して、扉体３の前面パネル３ａに隙間なく固定される。
【００３６】
これにより、扉体３の前面に、リーダライタ１１、すなわち当初のリーダライタとは規格が異なるリーダライタ１１を適正に取り付けることができる、
なお、リーダライタ１１の配線類１１ｂは、リーダライタ設置用アダプタ３１の配線挿通用開口６３、取付板３９の開口部分６５を通じて、扉体３の裏面側に配置されている制御ユニット（図示しない）に接続すればよい。
【００３７】
以上のように取付けることができないリーダライタ１１、すなわちリーダライタ装着用開口部２５とは異なる大きさのリーダライタ１１が、リーダライタ設置用アダプタ３１の採用によって、簡単な構造、安価なコストで、リーダライタ装着用開口部２５に取り付けることができる。
しかも、リーダライタ１１を組み付ける固定手段としては、リーダライタ設置用アダプタ３１の他に、リーダライタ設置用アダプタ３１に設けた通孔５５（固定孔）と、同通孔５５からリーダライタ１１の設置面１１ａ（ねじ孔３７）へ螺挿するねじ部材５７（第１締結具）とで構成される締結構造（第１締結手段）と、リーダライタ設置用アダプタ３１に設けたねじ孔５３、取付板３９の通孔３９ａからねじ孔５３へ螺挿するねじ部材５９（（第２締結具）とで構成される締結構造（第２締結手段）を組み合わせた構造を用いただけなので、簡単な固定構造ですむ。
【００３８】
そのうえ、リーダライタ設置用アダプタ３１には、通孔５５の少なくとも一つをリーダライタ装着用開口部２５と対向する領域から外側へずらして、リーダライタ１１をリーダライタ装着用開口部２５から偏った位置に固定する構造を用いたので、ねじ孔５３のピッチより大きいピッチを含む通孔５５といった規格違いの固定に容易に対応できる。加えて、偏った位置での固定には、リーダライタ設置用アダプタ３１の一側域に延長域５６を設け、この延長域５６に通孔５５の一部を設けて、リーダライタ１１の位置をずらす構造を用いたので、簡単な構造ですむ。
【００３９】
特に、この延長域５６の向きを変えて、リーダライタ設置用アダプタ３１を前面パネル３ａに配置することにより、リーダライタ１１は、リーダライタ１１周囲の機器にマッチングした姿勢で取付けることができる。本実施形態では、延長域５６を上部に配置した向き（扉体３の上方側へ延びる向き）にすることによって、直上に配置されている金額表示部９とリーダライタ１１とが接近したレイアウトを実現している。
【００４０】
図７は、本発明の第２の実施形態を示す。
本実施形態は、リーダライタ１１とその直上に配置されている金額表示部９とがかなり接近するといった、両者の間隔が狭い状況でも、リーダライタ設置用アダプタ３１を用いて、リーダライタ１１が扉体３の前面パネル３ａに取付けられるようにしたものである。
具体的には、リーダライタ設置用アダプタ３１を、延長域５６を下向きにした姿勢（第１の実施形態とは反対の向き）にする。すなわち、金額表示部９とは反対側の扉体３の下方側へ延びる向きに配置することによって、リーダライタ１１を、リーダライタ設置用アダプタ３１を介して前面パネル３ａの前面に取り付けるようにしたものである。
【００４１】
このように延長域５６が下向きになるようリーダライタ設置用アダプタ３１の向きを変更すると、リーダライタ１１は金額表示部９より下側に退避した位置に配置されるので、たとえリーダライタ１１と金額表示部９との間がかなり接近する場合でも、十分に対応できる。
図８は、本発明の第３の実施形態を示す。
【００４２】
本実施形態は、リーダライタ設置用アダプタ３１を用いて、リーダライタ１１を斜め上向きに配置されるようにしたものである。具体的には、リーダライタ設置用アダプタ３１の表面側に斜め上向きの傾斜台部７１を形成して、リーダライタ１１が配置される据付設置域αを斜め上向きに傾かせたものである。
但し、図７および図８において、上述した第１の実施形態と同じ部分には同一符号を付して、その説明を省略した。
【００４３】
なお、上述した各実施形態における各構成およびそれの組み合わせ等は一例であり、本発明の趣旨から逸脱しない範囲内で、構成の付加、省略、置換、およびその他の変更が可能であることはいうまでもない。また本発明は、上述した実施形態によって限定されることはなく、「特許請求の範囲」によってのみ限定されることはいうまでもない。
【符号の説明】
【００４４】
１  本体
３  扉体
３ａ  前面パネル
９  金額表示部
１１  リーダライタ
１１ａ  設置面
２５  リーダライタ装着用開口部
３１  リーダライタ設置用アダプタ
３９，５３，５９  取付板，ねじ孔，ねじ部材（第２締結手段）
５５，５７  通孔，ねじ部材（第１締結手段）
５６  延長域
６３  配線挿通用開口
【図１】
2018205912.tif 000003
【図２】
2018205912.tif 000004
【図３】
2018205912.tif 000005
【図４】
2018205912.tif 000006
【図５】
2018205912.tif 000007
【図６】
2018205912.tif 000008
【図７】
2018205912.tif 000009
【図８】
2018205912.tif 000010